(57)【要約】【課題】  容易に空隙率を下げることができる格子体を提供する。【解決手段】  主格子体１と、副格子体２とを備え、主格子体１は、互いに平行に配置した複数本の主格子１１を有しており、副格子体２は、互いに平行に配置した複数本の副格子２１と、副格子２１に直交して各副格子２１を連結する副胴縁２２を有しており、主格子１１と副格子２１が平行し且つ各主格子１１の間に各副格子２１が位置するように、主格子体１に副格子体２を取り付けてある。また、副格子２１が主格子１１より短く、主格子体１に対する副格子体２の取付位置が、主格子１１及び副格子２１の長手方向に自在である。さらに、副格子体２の副胴縁２２の端部同士の突き合わせ部分が主格子１１の間に位置し、突き合わせ部分に副格子２１と同じ外観のダミー副格子３を取り付けてある。【選択図】      図１
2011174338.tif 000002
【特許請求の範囲】
【請求項１】
主格子体と、副格子体とを備え、主格子体は、互いに平行に配置した複数本の主格子を有しており、副格子体は、互いに平行に配置した複数本の副格子と、副格子に直交して各副格子を連結する副胴縁を有しており、主格子と副格子が平行し且つ各主格子の間に各副格子が位置するように、主格子体に副格子体を取り付けてあることを特徴とする格子体。
【請求項２】
副格子が主格子より短く、主格子体に対する副格子体の取付位置が、主格子及び副格子の長手方向に自在であることを特徴とする請求項１記載の格子体。
【請求項３】
主格子体に複数の副格子体を取り付ける場合であって、各副格子体の副胴縁の端部同士を突き合わせて配置する際に、突き合わせ部分が主格子の間に位置し、突き合わせ部分に副格子と同じ外観のダミー副格子を取り付けてあることを特徴とする請求項１又は２記載の格子体。
【請求項４】
主格子体が、立設した支柱と、左右方向に延びる少なくとも二本の主胴縁とを有し、支柱の見込方向一方側に主胴縁が互いに平行に取り付けてあり、主胴縁の見込方向一方側に上下方向に延びる主格子が取り付けてあって、副格子が主胴縁同士の間隔より短く、副格子体の見込幅が主胴縁の見込幅よりも短いことを特徴とする請求項１、２又は３記載の格子体。
【発明の詳細な説明】
【技術分野】
【０００１】
本発明は、目隠しや侵入防止のために設置するフェンス等に用いる格子体に関する。
【背景技術】
【０００２】
従来、互いに平行且つ等間隔に配置した複数本の格子をそれに直交する胴縁で連結した格子体が、フェンス等に用いられている。このような格子体は、格子同士の間隔を狭くする、すなわち空隙率を下げれば、より視線が通りにくくなり、また小動物等が侵入しにくくなるものであり、設置の目的に応じた様々な空隙率の格子体がある。また、特許文献１に示すように、主縦格子の間に補助縦格子を配することで、格子体の一部分の空隙率を下げたものもある。
【先行技術文献】
【特許文献】
【０００３】
【特許文献１】特開２００８−１９６２２６号公報
【発明の概要】
【発明が解決しようとする課題】
【０００４】
しかしながら、どの程度の空隙率が適切かは実際に設置してみないとわからないこともあり、一度格子体を設置した後に、もっと空隙率を下げたい、という場合がある。そのような場合に、格子体全体を交換すると、大きな手間と費用がかかってしまう。また、特許文献１の発明によれば、後から補助縦格子を追加できるが、補助縦格子を一本ずつ胴縁に取り付けるものであるから、補助縦格子の取付位置が制限されてしまうし、施工性も悪い。
【０００５】
本発明は、上記事情を鑑みたものであり、容易に空隙率を下げることができる格子体を提供することを目的とする。
【課題を解決するための手段】
【０００６】
本発明のうち請求項１の発明は、主格子体と、副格子体とを備え、主格子体は、互いに平行に配置した複数本の主格子を有しており、副格子体は、互いに平行に配置した複数本の副格子と、副格子に直交して各副格子を連結する副胴縁を有しており、主格子と副格子が平行し且つ各主格子の間に各副格子が位置するように、主格子体に副格子体を取り付けてあることを特徴とする。
【０００７】
本発明のうち請求項２の発明は、副格子が主格子より短く、主格子体に対する副格子体の取付位置が、主格子及び副格子の長手方向に自在であることを特徴とする。
【０００８】
本発明のうち請求項３の発明は、主格子体に複数の副格子体を取り付ける場合であって、各副格子体の副胴縁の端部同士を突き合わせて配置する際に、突き合わせ部分が主格子の間に位置し、突き合わせ部分に副格子と同じ外観のダミー副格子を取り付けてあることを特徴とする。
【０００９】
本発明のうち請求項４の発明は、主格子体が、立設した支柱と、左右方向に延びる少なくとも二本の主胴縁とを有し、支柱の見込方向一方側に主胴縁が互いに平行に取り付けてあり、主胴縁の見込方向一方側に上下方向に延びる主格子が取り付けてあって、副格子が主胴縁同士の間隔より短く、副格子体の見込幅が主胴縁の見込幅よりも短いことを特徴とする。
【発明の効果】
【００１０】
本発明のうち請求項１の発明によれば、主格子体に副格子体を取り付けることで、格子体の空隙率を下げることができる。副格子体は副格子が副胴縁により連結され一体となっているから、取付作業が容易である。
【００１１】
本発明のうち請求項２の発明によれば、副格子体の取付位置が自在であるから、格子体の任意の一部分の空隙率を下げることができる。例えば、目隠しのために人の視線の高さ位置に取り付けたり、動物の侵入を防ぐために地面に近い位置に取り付けたりすることが考えられる。
【００１２】
本発明のうち請求項３の発明によれば、副格子同士の突き合わせ部分にダミー副格子を取り付けることで、外観上格子の連続性が維持され、意匠性が良好である。
【００１３】
本発明のうち請求項４の発明によれば、主格子体の支柱が障害になって副格子体を見込方向他方側から取り付けられない場合であっても、左右何れかの方向から、副格子体を、支柱と、主格子と、二本の主胴縁に囲まれる空間に挿入して、主格子体に取り付けることができる。
【図面の簡単な説明】
【００１４】
【図１】格子体の第一実施形態の正面図である。
【図２】（ａ）は主格子体の正面図、（ｂ）は副格子体及びダミー副格子の正面図である。
【図３】図１のＡ−Ａ線断面図である。
【図４】図１のＢ−Ｂ線断面図である。
【図５】副格子体の取付位置を変更した場合の正面図である。
【図６】ダミー副格子の取付部分の説明図である。
【図７】格子体の第二実施形態の正面図である。
【図８】格子体の第三実施形態の正面図である。
【発明を実施するための形態】
【００１５】
以下、本発明の実施の形態を図面に基づいて説明する。本発明の格子体の使用場所は特に限定されるものではないが、ここでは敷地の境界に設置するフェンスとして用いる場合を示す。この格子体の第一実施形態は、図１〜図４に示すように、主格子体１と、副格子体２とを備え、主格子体１が設置面に立設されており、副格子体２が主格子体１に取り付けられている。なお、以下において上下左右とは図１における上下左右を示し、前後とは図１における手前側及び奥側を示すものとする。よって、上記の見込方向一方側が前側、他方側が後側となる。
【００１６】
主格子体１は、上下に延びる複数本の主格子１１と、左右に延びる二本の主胴縁１２と、支柱１３とを備える。支柱１３は略四角筒形状であって設置面に立設したもので、上端にはキャップ１３１が装着してある。前側面には上下に延びる凹部１３２が形成してあり、さらに凹部１３２の中央に水平断面略Ｃ字形状で上下に延びる溝部１３３が形成してある。そして溝部１３３には座金１４が挿入してあり、この座金１４に対して主取付金具１５をネジ止めしてある。主取付金具１５は、主胴縁１２を取り付けるためのもので、支柱１３の凹部１３２に嵌る平板状の基部１５１と、基部１５１の上端から前側へ突出する取付部１５２とを有する。取付部１５２の前側端は前側下方へ傾斜している。一方、主胴縁１２は、略四角筒形状であるが、後側下部の一角が欠けた形状であり、この部分に主取付金具１５の取付部１５２の傾斜部分が当接してネジ止めしてある。また、左側端にはキャップ１２１が装着してあり、右側端には連結スペーサ１２２を装着して別部材の主胴縁１２を連結してある（ここでは連結スペーサ１２２によって連結された主胴縁１２全体を一本としている）。さらに主胴縁１２は、前側面及び下側面を覆う略Ｌ字形状のアタッチメント１２３を有する。アタッチメント１２３は、主胴縁１２の前側面の上下二箇所に形成した略Ｌ字形状の係合部１２４と係合する被係合部１２５を有し、主胴縁１２の下側面にネジ止めしてある。そして、このアタッチメント１２３の前側面に、主格子１１がネジ止めしてある。主格子１１は、各々略四角筒形状で、上下端にはキャップ１１１が装着してあり、互いに平行且つ等間隔に配置してある。なお、実際の組み立て時には、主格子１１にアタッチメント１２３を取り付けた後、このアタッチメント１２３を主胴縁１２に取り付ける。
【００１７】
副格子体２は、上下に延びる複数本の副格子２１と、左右に延びる二本の副胴縁２２とを備える。副胴縁２２は、略四角筒形状であるが、後面に開口部２２１を有しており、開口部２２１はカバー材２２２により塞いである。また、後側下部には下向きに開口する係合溝２２３が形成してある。そして、副胴縁２２の前側面に、副格子２１がネジ止めしてある。副格子２１は、各々略四角筒形状で、上下端にはキャップ２１１が装着してあり、互いに平行且つ等間隔に配置してある。そして、副格子２１の配列のピッチは、主格子１１の配列のピッチに等しく、また副格子２１の上下方向長さは二本の主胴縁１２同士の間隔より短く、さらに副格子体２の見込幅（副格子２１の見込幅＋副胴縁２２の見込幅）は主胴縁１２の見込幅よりも短い。なお、実際の組み立て時には、副胴縁２２の前側面に副格子２１をネジ止めした後、副胴縁２２の開口部２２１にカバー材２２２を取り付ける。
【００１８】
このような主格子体１に副格子体２を取り付けるには、主格子１１と副格子２１が平行し且つ各主格子１１の間に各副格子２１が位置するようにして、副胴縁２２の前側面を主格子１１の後側面に当接させてネジ止めする。この際、副格子体２の上下位置は任意に定めることができ、また、支柱１３が障害になって副格子体２を後側から取り付けられない場合であっても、左右何れかの方向から、支柱１３と、主格子１１と、二本の主胴縁１２に囲まれる空間に挿入すれば、副格子体２を任意の位置に取り付けることができる。そして、これだけでも主格子体１と副格子体２とは連結されるが、さらに、支柱１３の溝部１３３に座金１４を挿入し、この座金１４に対して副取付金具１６をネジ止めしてある。副取付金具１６は、支柱１３の凹部１３２に嵌る平板上の基部１６１と、基部１６１の下端から前側へ突出する取付部１６２とを有する。取付部１６２の前側端は上方へ屈曲している。この取付部１６２の屈曲部が副胴縁２２の係合溝２２３に係合しており、副胴縁２２と支柱１３とが連結されている。
【００１９】
このように主格子体１及び副格子体２を構成することで、主格子体１に対して副格子体２を任意の位置に取り付けることができ、その部分の格子体の空隙率を下げることができる。副格子体２は副格子２１が副胴縁２２により連結され一体となっているから、取付作業が容易である。例えば、図１のように格子体の上部の空隙率を下げれば、人の視線を遮る目隠しとして有効であるし、図５のように格子体の下部の空隙率を下げれば、動物の侵入を防ぐために有効である。また、副格子体２を主格子体１に取り付ける際に、副胴縁２２を主格子１１だけでなく支柱１３にも固定することで、主胴縁１２にかかる負荷を低減し、強度を保つことができる。
【００２０】
また、本実施形態においては、主格子体１に対して複数の副格子体２を取り付けてあり、各副格子体２の副胴縁２２の端部同士を突き合わせて配置してある（図２（ｂ））。このようにした場合、突き合わせ部分には副格子２１が存在しないので、そのままでは外観上格子の連続性が維持されず、意匠性が悪い。そこで、この突き合わせ部分に、副格子２１と同じ外観のダミー副格子３を取り付けてある。ダミー副格子３は、略四角筒形状で外形寸法は副格子２１と略同じであるが、図６に示すように、後側面に水平断面略Ｃ字形状の取付溝３１を形成してある。また、上下端にはキャップ３２が装着してある。そして、副胴縁２２の向かい合う端面の一方には、ダミー副格子３を取り付けるためのダミー取付金具２３が取り付けてある。ダミー取付金具２３は、副胴縁２２の端面に当接する平板状の基部２３１と、基部２３１の前側端から副胴縁２２の長手方向に沿って延びる取付部２３２とを有しており、この取付部２３２をダミー副格子３の取付溝３１に挿入して、後側からネジ止めしてある。なお、副胴縁２２の向かい合う端面の他方及び末端の端面には、ダミー取付金具２３の基部２３１と同形状の平板２４が取り付けてある。このようにしてダミー副格子３を取り付けることで、外観上格子の連続性が維持され、意匠性が良好なものとなる。
【００２１】
また、図７に示すのは、格子体の第二実施形態である。第二実施形態においては、主格子体１は主格子１１及び主胴縁１２からなり、主胴縁１２が構造物（壁や塀等）に直接取り付けられていて、支柱はない。副格子体２は、第一実施形態と同様、副格子２１及び副胴縁２２からなり、副胴縁２２の前側面を主格子１１の後側面に当接させてネジ止めしてある。
【００２２】
さらに、図８に示すのは、格子体の第三実施形態である。第三実施形態は、第一実施形態に対して、格子と胴縁の向きが逆になっている。すなわち、主格子体１は、左右に延びる主格子１１と、上下に延びる主胴縁１２と支柱１３とを備え、支柱１３に取り付けた主取付金具（図示省略）に主格子１１がネジ止めしてある。また、副格子体２は、左右に延びる副格子２１と、上下に延びる副胴縁２２とを備える。そして、このような主格子体１に副格子体２を取り付けるには、主格子１１と副格子２１が平行し且つ各主格子１１の間に各副格子２１が位置するようにして、副胴縁２２の前側面を主格子１１の後側面に当接させてネジ止めする。この際、副格子体２の左右位置は任意に定めることができる。
【００２３】
本発明は、上記の実施形態に限定されない。例えば、格子、胴縁や支柱の断面形状は四角形に限られず、円形、楕円形や多角形であってもよい。また、格子、胴縁及び支柱相互の接合については、ネジ止めに限られず、嵌合や溶接によるものであってもよい。さらに、副格子体は、主格子体の主格子のみに固定するものであってもよいし、支柱のみに固定するものであってもよい。
【符号の説明】
【００２４】
１  主格子体
２  副格子体
３  ダミー副格子
１１  主格子
１２  主胴縁
１３  支柱
２１  副格子
２２  副胴縁
【図１】
2011174338.tif 000003
【図２】
2011174338.tif 000004
【図３】
2011174338.tif 000005
【図４】
2011174338.tif 000006
【図５】
2011174338.tif 000007
【図６】
2011174338.tif 000008
【図７】
2011174338.tif 000009
【図８】
2011174338.tif 000010